(57)【特許請求の範囲】
【請求項１】
打設時に流し込まれたコンクリートの漏れから、コンクリートの充填完了を確認可能な充填確認孔が形成された湾曲可能なシート材からなり、前記シート材が型枠組立時になだらかに湾曲する法面を有し、かつ打設中でも打設前の形状を保持可能な硬度を有した捨て型枠であって、
前記捨て型枠が、コンクリートの止め部分を打設する止め用型枠で、
該止め用型枠がそれぞれ同じ曲率で凸状に湾曲した辺を有する３枚の止め用部分型枠を有し、これらの止め用部分型枠の湾曲した辺側の端部同士を屈曲自在に連結したものである捨て型枠。
【請求項２】
前記充填確認孔が、前記シート材に一定ピッチで複数形成されている請求項１に記載の捨て型枠。
【請求項３】
被打設面への基礎の打設時に流し込まれたコンクリートの漏れから、コンクリートの充填完了を確認可能な充填確認孔が形成された湾曲可能なシート材からなり、前記シート材が型枠組立時になだらかに湾曲する法面を有し、かつ打設中でも打設前の形状を保持可能な硬度を有した捨て型枠であるフーチング型枠と、その上に配置される立ち上げ型枠とを、互いに連続した状態で略逆Ｔ字形状に組み立てる際に利用される型枠固定具であって、
前記フーチング型枠を掛止する第１の掛止部と、前記立ち上げ型枠に掛止される第２の掛止部とを有する線材製のクリップからなり、
前記第１の掛止部は、前記シート材の上端部に形成された長孔に該長孔の立ち上げ型枠側から差し込み可能で、かつ平面視してコの字形状を有し、
前記第２の掛止部は、前記第１の掛止部の両端部にそれぞれ屈曲して形成され、かつ前記立ち上げ型枠の下側に断面Ｌ字形に屈曲したフランジに掛止される型枠固定具。
【請求項４】
打設時に流し込まれたコンクリートの漏れから、コンクリートの充填完了を確認可能な充填確認孔が形成された湾曲可能なシート材からなり、前記シート材が型枠組立時になだらかに湾曲する法面を有し、かつ打設中でも打設前の形状を保持可能な硬度を有した捨て型枠を利用して被打設面にコンクリートを打設する際、前記捨て型枠内に流し込まれたコンクリートが、被打設面と該被打設面に固定された前記捨て型枠の裾部との隙間から漏れるのを防ぐ型枠固定用補強部材であって、
前記捨て型枠の裾部を被打設面に押し付ける押圧片と、
該押圧片に一体形成され、前記捨て型枠の裾部に連続した立ち上げ部を外方から支持する当てがい片とを備えた型枠固定用補強部材。
【発明の詳細な説明】
【０００１】
【発明の属する技術分野】
この発明は捨て型枠およびその固定用具、詳しくは打設時に流し込まれたコンクリートの漏れから、コンクリートの充填完了を確認することが可能な捨て型枠およびこれを被打設面に固定するときに利用される固定用具に関する。
【０００２】
【従来の技術】
住宅の建築時には、あらかじめ地盤に対して基礎工事を行う。
一般的な基礎施工方法は、まず地盤上に捨てコンクリートを打設し、次いで捨てコンクリートの表面に合板製のフーチング型枠を組み立てる。その後、フーチング型枠の内部に逆Ｔ字形の鉄筋を配筋し、この型枠内にコンクリートを流し込んでフーチング部を打設する。次に、フーチング部の上面に鋼製の立ち上げ型枠を組み立てる。それからコンクリートを流し込み、立ち上げ部を打設する。これにより、地盤の上に基礎が作製される。
しかしながら、この基礎施工方法では、フーチング部と立ち上げ部とが２回にわたり別々に打設されていた。そのため、基礎の施工時間が長くなり、コスト高を招くとともに、フーチング部と立ち上げ部との打ち継ぎ目が一体化せず、これらの界面にコールドジョイントが発生していた。その結果、基礎の耐久性に問題が生じていた。
【０００３】
そこで、これを解消する従来技術として、フーチング部と立ち上げ部とを一体的に打設する方法が開発されている。具体的には、まず捨てコンクリートの表面に、フーチング型枠と立ち上げ型枠とを組み立てる。このとき、立ち上げ型枠は、外部の支持構造体によりフーチング型枠と連結していない状態で組み立てられる。次に、型枠内に逆Ｔ字形の鉄筋を配筋し、コンクリートを流し込む。こうして、フーチング部と立ち上げ部とが一体化した基礎が打設される。その結果、基礎施工の工期の短縮や施工コストの低下が図れ、コールドジョイントも解消することができる。
【０００４】
【発明が解決しようとする課題】
しかしながら、従来の基礎施工方法にあっては、このようにフーチング部と立ち上げ部とが１回のコンクリートの打設で作製されている。そのため、立ち上げ型枠とフーチング型枠とのあいだに大きな隙間が現出される。これにより、コンクリートの流し込み時に、型枠内にバイブレータを挿入してコンクリートを密実に締め固めることができなかった。その結果、打設された基礎の耐久性に若干の問題があった。
また、フーチング型枠および立ち上げ型枠が金属製であったので、型枠が重くて嵩張るとともに、型枠費も高価であった。
さらに、フーチング部は、その両側部分が立ち上げ部よりも外方に膨出した形状を有している。そのため、コンクリートの流し込み時において、フーチング型枠の両側上部などにコンクリート中の空気が溜まりやすかった。これにより、打設後の基礎の一部分に欠けなどが発生し、これが基礎の強度低下などの原因となっていた。
【０００５】
【発明の目的】
そこで、この発明は、型枠の軽量化およびコンパクト化が図れるとともに型枠費を廉価にすることができ、湾曲するシート材の曲率が限定されず、しかもコンクリートの充填完了を簡単に確認することができ、さらにはコンクリート内の空気を良好に型枠外に抜き出すことができ、しかも打設後に接触しても角がない分だけ傷が付きにくく、設定されたコンクリート形状を確保することができ、打設後はコンクリートの養生に利用することができ、そしてシート材を紙製とした場合には、地中でシート材を自然に朽ちらせることができる捨て型枠を提供することを、目的としている。
この発明は、保管スペースが小さく、組み立てが簡単である入隅用、出隅用および止め用の捨て型枠を提供することを、その目的としている。
この発明は、定規を使用しなくても、捨て型枠の大まかな長さを認識することができる捨て型枠を提供することを、その目的としている。
この発明は、安価で、簡単な着脱作業により捨て型枠を立ち上げ型枠に連結することができる型枠固定具を提供することを、その目的としている。
この発明は、捨て型枠の裾部を被打設面にしっかりと固定することができる型枠固定用釘を提供することを、その目的としている。
この発明は、安価で、嵩張らず、使い勝手もよい型枠固定用補強部材を提供することを、その目的としている。
【０００６】
【課題を解決するための手段】
この発明は、打設時に流し込まれたコンクリートの漏れから、コンクリートの充填完了を確認可能な充填確認孔が形成された湾曲可能な紙製のシート材からなる捨て型枠であって、前記シート材が型枠組立時に型枠の外方に膨出したなだらかな凸状に湾曲する法面を有し、打設中でも打設前の形状を保持可能な硬度を有している捨て型枠である。
打設用のコンクリートの種類は限定されない。例えば、普通ポルトランドセメントなどが挙げられる。
このコンクリートの中には、直交する２つの仮想面内でそれぞれ屈曲したコンクリート補強用金属繊維を混入した方が好ましい。その混入量は、コンクリートの用途により異なる。例えば、建物の基礎用で２０〜４０ｋｇ／ｍ３である。
【０００７】
このコンクリート補強用金属繊維の原料である金属材料は限定されない。例えば鋼鉄材料である純鉄、鋼鉄、軟鋼、特殊鋼、電気用鋼、鋳鋼、鋳鉄などが挙げられる。この鋼鉄材料の場合、コンクリート補強用金属繊維がコンクリート補強用鋼繊維となる。なお、比較的安価で高強度を有する非鉄金属、例えばアルミニウム合金なども採用することができる。
コンクリート補強用金属繊維の種類も限定されない。例えば、断面矩形状の細長い板である平線型の金属繊維、断面円形状の細長い金属繊維、突条の節を所定間隔ごとに有するインデント型の金属繊維、折れ曲がったフックが両端部に配置された両端フック型の金属繊維、略繊維全長にわたって波形状に屈曲した波型の金属繊維などが挙げられる。
なお、このコンクリート補強用金属繊維は、その表面を防錆膜で覆うこともできる。
【０００８】
充填確認孔からのコンクリートの漏れの確認は、作業者などによる視認、液漏検出センサによる検出、カメラを用いた画像検出などを採用することができる。  充填確認孔の大きさは、コンクリートの液分は外部に漏れ、骨材などの固形物は漏れない大きさである。具体的には、直径２〜１０ｍｍ、好ましくは４〜６ｍｍである。２ｍｍ未満では目詰まりが生じて閉塞するおそれがある。また、１０ｍｍを超えるとモルタル成分が多量に漏れるおそれがある。
充填確認孔の形状は限定されない。通常は円形であるが、楕円形，三角形以上の多角形などでもよい。
充填確認孔の形成数は限定されない。例えば１つでもよいし、２つ以上形成してもよい。
【０００９】
紙製のシート材は、遮水性を有する素材の方が、シート材自体からのコンクリートの液分の漏れがないので好ましい。遮水性を有するシート材としては、例えば、各種の合成樹脂シート、各種の合成樹脂膜により被覆されたラミネート紙、含有水分の増加に伴う強度の低下が小さい紙管原紙、撥水段ボール、耐水段ボール、紙素材に溶融パラフィンや微結晶ワックスなどを含浸された耐水紙などが挙げられる。
湾曲するシート材の曲率は限定されない。例えば、フーチング高さが住宅金融公庫仕様と同じで、フーチング部の体積が住宅金融公庫仕様と等しくなる半径１２０〜１４０ｍｍ程度である。
シート材の厚さは、シート材が湾曲可能で、かつ打設中でも打設前の形状を保持可能な厚さでれば限定されない。例えば０．７〜１．３ｍｍくらいである。
【００１０】
また、この発明は、前記捨て型枠が、コンクリートの入隅部分を打設する入隅用型枠で、該入隅用型枠が、それぞれ同じ曲率で凹状に湾曲した辺を有する２枚の入隅用部分型枠を有し、両入隅用部分型枠の湾曲した辺側の端部同士を屈曲自在に連結したものである。
入隅用部分型枠の湾曲した辺の曲率は限定されない。例えば、半径１２０〜１４０ｍｍでもよい。
両入隅用部分型枠の屈曲自在な連結構造は限定されない。例えば、蝶番構造などを採用することができる。
【００１１】
さらに、この発明は、前記捨て型枠が、コンクリートの出隅部分を打設する出隅用型枠で、該出隅用型枠が、それぞれ同じ曲率で凸状に湾曲した辺を有する２枚の出隅用部分型枠を有し、両出隅用部分型枠の湾曲した辺側の端部同士を曲率自在に連結したものである。
出隅用部分型枠の湾曲した辺の曲率は限定されない。例えば、半径１２０〜１４０ｍｍでもよい。
両出隅用部分型枠の屈曲自在な連結構造は限定されない。例えば、入隅用部分型枠と同じ蝶番構造などを採用することができる。
【００１２】
請求項１に記載の発明は、打設時に流し込まれたコンクリートの漏れから、コンクリートの充填完了を確認可能な充填確認孔が形成された湾曲可能なシート材からなり、前記シート材が型枠組立時になだらかに湾曲する法面を有し、かつ打設中でも打設前の形状を保持可能な硬度を有した捨て型枠であって、前記捨て型枠が、コンクリートの止め部分を打設する止め用型枠で、該止め用型枠がそれぞれ同じ曲率で凸状に湾曲した辺を有する３枚の止め用部分型枠を有し、これらの止め用部分型枠の湾曲した辺側の端部同士を屈曲自在に連結したものである捨て型枠である。
止め用部分型枠の湾曲した辺の曲率は限定されない。例えば、半径１２０〜１４０ｍｍでもよい。
３枚の止め用部分型枠に屈曲自在な連結構造は限定されない。例えば、入隅用部分型枠と同じ蝶番構造などを採用することができる。
【００１３】
請求項２に記載の発明は、前記充填確認孔が、前記シート材に一定ピッチで複数形成されている請求項１に記載の捨て型枠である。
充填確認孔が複数の場合には、例えば縦方向６０ｍｍ，横方向１５１．５ｍｍ程度の一定ピッチでシート材に形成することができる。
【００１４】
請求項３に記載の発明は、被打設面への基礎の打設時に流し込まれたコンクリートの漏れから、コンクリートの充填完了を確認可能な充填確認孔が形成された湾曲可能なシート材からなり、前記シート材が型枠組立時になだらかに湾曲する法面を有し、かつ打設中でも打設前の形状を保持可能な硬度を有した捨て型枠であるフーチング型枠と、その上に配置される立ち上げ型枠とを、互いに連続した状態で略逆Ｔ字形状に組み立てる際に利用される型枠固定具であって、前記フーチング型枠を掛止する第１の掛止部と、前記立ち上げ型枠に掛止される第２の掛止部とを有する線材製のクリップからなり、前記第１の掛止部は、前記シート材の上端部に形成された長孔に該長孔の立ち上げ型枠側から差し込み可能で、かつ平面視してコの字形状を有し、前記第２の掛止部は、前記第１の掛止部の両端部にそれぞれ屈曲して形成され、かつ前記立ち上げ型枠の下側に断面Ｌ字形に屈曲したフランジに掛止される型枠固定具である。
ここでいう被打設面とは、例えば捨てコンクリートの表面、填圧された地面などが挙げられる。捨てコンクリートは、直接、地面に打設してもよいし、割りぐり石などを介して打設してもよい。
基礎は建物用に限定されない。例えば、橋りょうや擁壁の基礎などが挙げられる。要は、主として地中に構築され、上部構造物の荷重を所定の支持地盤に伝え、安定した支持機能を負担する部分であればよい。
【００１５】
基礎の種類としては、例えば柱１本に対して１個打設される独立基礎、複数本の組柱に対して１個打設される連続（布）基礎および複合基礎、上部構造物の全体に対して１個のべた基礎などが挙げられる。
フーチング型枠と立ち上げ型枠とは、ほとんど隙間が存在しないように連結される。そのため、コンクリート流し込み時にコンクリートの締め固め用のバイブレータの使用が可能になる。
型枠固定具であるクリップの形状は限定されない。要は、前記フーチング型枠を掛止する第１の掛止部と、立ち上げ型枠を掛止する第２の掛止部とを有していればよい。
【００１６】
さらに、この発明は、打設時に流し込まれたコンクリートの漏れから、コンクリートの充填完了を確認可能な充填確認孔が形成された湾曲可能なシート材からなり、前記シート材が型枠組立時になだらかに湾曲する法面を有し、かつ打設中でも打設前の形状を保持可能な硬度を有した捨て型枠の裾部を、被打設面に固定するときに使用される型枠固定用釘であって、頭部の外径が、胴部の外径の３倍を超えた型枠固定用釘である。
このような釘は、例えば製釘時、線材の先端部をクランプして所定長さの釘軸部を外方に突出させ、この釘軸部をパンチングして頭部を鍛造した後、この線材の先端部を釘長さ分で切断して釘を製造する際において、釘軸部が複数の部分釘軸部に分割され、この頭部は、この複数の部分釘軸部をそれぞれパンチングして分割鍛造することで得ることができる。
３倍以下では、捨て型枠の裾部を被打設面に押さえ付ける面積が小さい。
【００１７】
請求項４に記載の発明は、打設時に流し込まれたコンクリートの漏れから、コンクリートの充填完了を確認可能な充填確認孔が形成された湾曲可能なシート材からなり、前記シート材が型枠組立時になだらかに湾曲する法面を有し、かつ打設中でも打設前の形状を保持可能な硬度を有した捨て型枠を利用して被打設面にコンクリートを打設する際、前記捨て型枠内に流し込まれたコンクリートが、被打設面と該被打設面に固定された前記捨て型枠の裾部との隙間から漏れるのを防ぐ型枠固定用補強部材であって、前記捨て型枠の裾部を被打設面に押し付ける押圧片と、該押圧片に一体形成され、前記捨て型枠の裾部に連続した立ち上げ部を外方から支持する当てがい片とを備えた型枠固定用補強部材である。
型枠固定用補強部材の素材は限定されない。例えば、請求項１の捨て型枠と同じ素材を採用することができる。中でも、少なくとも片面に合成樹脂フィルムが積層されたラミネート紙が、軽くて安価であるため好ましい。押圧片および当てがい片の大きさ、厚さなどは適宜設定される。
【００１８】
【作用】
この発明の捨て型枠によれば、コンクリートの流し込み時、捨て型枠の内部空気の一部分およびコンクリートに含まれた空気は、充填確認孔を通して型枠の外に円滑に排出される。これにより、型枠の外方に膨出した部分に空気が溜まることで、コンクリートの強度低下が起きるおそれが低減される。
その後、充填確認孔からコンクリートが漏れた状態を、例えば作業者が視認することで、捨て型枠の内部空隙のうち、その充填確認孔が形成された部分までコンクリートが充填されていることを知ることができる。また、捨て型枠がこのようにシート材であるので、型枠の軽量化およびコンパクト化が図れるとともに、型枠費を廉価にすることができる。さらに、シート材を湾曲可能に構成したので、シート材の曲率が限定されず、打設後はコンクリートの養生に利用することができ、そしてシート材が紙製である場合には、地中でシート材を自然に朽ちらせることができる。
さらに、シート材が、型枠組立時になだらかに湾曲する法面を有しているので、打設されたコンクリートに作業者の足や資材などが接触しても、コンクリートに角がない分だけ怪我をしたり、資材に傷が付きにくい。また、打設中でも打設前の形状を保持可能な硬度を有しているので、打設後、あらかじめ設定されたコンクリート形状を確保することができる。
【００１９】
特に、入隅用型枠、出隅用型枠および止め用型枠を折り畳み自在に設けたので、形状が複雑な入隅用型枠、出隅用型枠および止め用型枠であっても、保管スペースが小さく、組み立ても簡単に行うことができる。
【００２０】
また、請求項２に記載の発明によれば、充填確認孔が、前記シート材に一定ピッチで形成されているので、定規を用いることなく、捨て型枠の長さを大まかに認識することができる。
【００２１】
さらに、請求項３に記載の型枠固定具によれば、クリップ形状の型枠固定具のうち、第１の掛止部によりフーチング型枠を掛止し、第２の掛止部によって立ち上げ型枠を掛止する。このようにして、捨て型枠のフーチング型枠を立ち上げ型枠に固定するので、安価で、簡単な掛止作業によって捨て型枠を立ち上げ型枠に連結することができる。
【００２２】
さらに、この発明の型枠固定用釘によれば、頭部の外径が、胴部の外径の３倍を超えているので、釘の頭部の面積が大きく、捨て型枠の裾部を被打設面にしっかりと固定することができる。
【００２３】
そして、請求項４に記載の型枠固定用補強部材にあっては、捨て型枠の裾部を被打設面に固定する際、押圧片によりその裾部を被打設面に押し付け、当てがい片により捨て型枠の立ち上げ部を外方から保持する。型枠固定用補強部材は、押圧片と当てがい片とを一体化した部材であるので、安価で嵩張らず、使用も容易である。
【００２４】
【発明の実施の形態】
以下、図面に基づいて、この発明の実施例を説明する。
図１は、この発明の一実施例に係る捨て型枠を利用した基礎のストレート部分の施工状態を示す斜視図である。図２は、この発明の一実施例に係る捨て型枠を利用した基礎の入隅部分の施工状態を示す斜視図である。図３は、この発明の一実施例に係る入隅用捨て型枠の分解状態を示す平面図である。図４は、この発明の一実施例に係る捨て型枠を利用した基礎の出隅部分の施工状態を示す斜視図である。図５は、この発明の一実施例に係る出隅用捨て型枠の分解状態を示す平面図である。図６は、この発明の一実施例に係る止め用型枠を利用した基礎の止め部分の施行状態を示す斜視図である。図７は、この発明の一実施例に係る止め用型枠の分岐状態を示す平面図である。図８は、この発明の一実施例に係る型枠固定具を示す斜視図である。図９は、この発明の一実施例に係る型枠固定具の使用状態を示す斜視図である。図１０（ａ）〜図１５（ａ）は、この発明の別の形態の型枠固定具を示す正面図である。図１０（ｂ）〜図１５（ｂ）は、この発明の別の形態の型枠固定具を示す側面図である。図１６（ａ）は、この発明の一実施例に係る基礎施工方法に利用されるコンクリート補強用金属繊維の拡大正面図である。図１６（ｂ）は、この発明の一実施例に係る基礎施工方法に利用されるコンクリート補強用金属繊維の拡大平面図である。図１７（ａ）は、この発明の一実施例に係る基礎施工方法の捨てコンクリート打設後の状態を示す縦断面図である。図１７（ｂ）は、この発明の一実施例に係る基礎施工方法の型枠組み立て工程を示す縦断面図である。図１７（ｃ）は、この発明の一実施例に係る基礎施工方法のコンクリート流し込み工程を示す縦断面図である。図１８は、この発明の一実施例に係る基礎施工方法によって施工された基礎の要部拡大断面図である。
【００２５】
図１において、１０は住宅用の略逆Ｔ字形を有する基礎のフーチング部を打設する際に利用される、湾曲自在なシート材からなるストレート部用型枠（フーチング型枠／捨て型枠）である。ここでは平面視して直線的に左右対配置される多数のストレート部用型枠１０…が使用される。ストレート部用型枠１０…はラミネート紙製の捨て型枠で、紙の表裏両面が防水フィルムにより覆われている。その紙サイズは、縦９００ｍｍ，横３３０ｍｍで、厚さ０．７〜１．０ｍｍである。表裏両面のフィルム厚さは２０μｍである。これにより、ストレート部用型枠１０…は、型枠組立時に半径１３２ｍｍのなだらかに湾曲する法面を有し、打設中でも打設前の形状を保持可能なシートとなる。
ストレート部用型枠１０…のシート幅方向の一端部には、シート長さ方向に向かって１５１．５ｍｍピッチで、多数の長孔１０ａ…が形成されている。しかも、各ストレート部用型枠１０…の長孔１０ａが形成されていない部分には、シート長さ方向に向かって１５１．５ｍｍピッチ、シート幅方向に向かって６０ｍｍピッチで、多数の充填確認孔１０ｂ…が点在されている。
充填確認孔１０ｂ…とは、打設時に流し込まれたコンクリートの漏れから、コンクリートの充填完了を確認する孔である。直径は５ｍｍである。
【００２６】
次に、図２および図３を参照して、平面視すると直線的なストレート部用型枠１０…とは異なり、基礎のうち、入隅部分を打設するときに利用される入隅用型枠（フーチング型枠／捨て型枠）１０Ａ…を説明する。
各入隅用型枠１０Ａは、同じ曲率で凹状に湾曲した辺を有する略線対称な台形状の２枚の入隅用部分型枠４０Ａ，４０Ｂから構成される。一方の入隅用部分型枠４０Ａには、その凹状に湾曲した辺に沿って、一定ピッチで多数の掛止スリット４０ａ…が形成されている。他方の入隅用型枠４０Ｂには、その凹状に湾曲した辺に沿って、一定ピッチで多数の掛止突起４０ｂ…が一体的に突設されている。また、両入隅用部分型枠４０Ａ，４０Ｂの下底には、捨てコンクリート１２の表面（被打設面）に固定される裾部が一体形成されている。入隅用部分型枠４０Ａの掛止スリット４０ａ…に、入隅用部分型枠４０Ｂの掛止突起４０ｂ…をそれぞれ差し込んで連結し、それを略９０度開くことで、入隅用型枠１０Ａが組み立てられる（図２）。
【００２７】
次に、図４および図５を参照して、基礎のうち、出隅部分を打設するときに利用される出隅用型枠（フーチング型枠／捨て型枠）１０Ｂを説明する。
各出隅用型枠１０Ｂは、それぞれ同じ曲率で凸状に湾曲した辺を有する略線対称な台形状の２枚の出隅用部分型枠５０Ａ，５０Ｂから構成される。一方の出隅用部分型枠５０Ａには、その凸状に湾曲した辺に沿って、一定ピッチで多数の掛止突起５０ａ…が一体的に突設されている。他方の出隅用型枠５０Ｂには、その凸状に湾曲した辺に沿って、一定ピッチで掛止スリット５０ｂ…が形成されている。また、両出隅用部分型枠５０Ａ，５０Ｂの下底には、捨てコンクリート１２の表面に固定される裾部が一体形成されている。出隅用部分型枠５０Ａの掛止突起５０ａ…と、出隅用部分型枠５０Ｂの掛止スリット５０ｂ…とをそれぞれ掛止し、それを略９０度開くことで、出隅用型枠１０Ｂが組み立てられる（図４）。
【００２８】
次に、図５および図６を参照して、基礎のうち、止め部分を打設するときに利用される止め用型枠（フーチング型枠／捨て型枠）１０Ｃを説明する。
止め用型枠１０Ｃは、両側にそれぞれ同じ曲率で凸状に湾曲した２辺を有する１枚の止め用部分型枠８０Ａと、この２辺の曲率と同じ曲率で凸状に湾曲した１辺を有する台形状の２枚の止め用部分型枠８０Ｂ，８０Ｂとから構成される。止め用部分型枠８０Ａには、その凸状に湾曲した両辺に沿って、一定ピッチで多数の掛止突起８０ａ…が一体的に突設されている。各止め用部分型枠８０Ｂ，８０Ｂには、その凸状に湾曲した辺に沿って、一定ピッチで掛止スリット８０ｂ…が形成されている。また、各止め用部分型枠８０Ａ，８０Ｂ，８０Ｂの下底には、捨てコンクリート１２の表面に固定される裾部が一体形成されている。止め用部分型枠８０Ａの掛止突起８０ａ…と、止め用部分型枠８０Ｂ，８０Ｂの掛止スリット８０ｂ…とをそれぞれ掛止し、３枚の止め用部分型枠８０Ａ，８０Ｂ，８０Ｃを平面視して略コの字形に開くことで、止め用型枠１０Ｃが組み立てられる（図６）。
【００２９】
次に、図１および図１７を参照して、基礎用の型枠を組み立てる際に用いられる型枠固定金具２０…を説明する。
図１および図１７に示すように、各型枠固定金具２０は、型枠の長さ方向に一定ピッチで配置される。型枠固定金具２０は、スタンド部材２１と、スタンド部材２１に設けられ、略逆Ｔ字形の基礎を打設する際に利用される、１対のストレート部用型枠１０，１０およびその上に配置される１対の立ち上げ型枠１１，１１を、互いに略隙間なく連結するための型枠連結部材２２とを備えている。
スタンド部材２１は、矩形状のベース板２３と、このベース板２３の長さ方向の両端部に立設された１対の支柱２４，２４とから構成される。支柱２４，２４の高さが、打設されたフーチング部の略高さとなる。これらの支柱２４，２４の上端に、型枠連結部材２２が横架されている。
型枠連結部材２２は、ベース板２３と略同じサイズの板体である。型枠連結部材２２の長さ方向の両端部には、２枚の立ち上げ型枠１１，１１の下部を内外方向から支える２対の支持片２５…がそれぞれ突設されている。これらの支持片２５…のうち、外側の支持片２５…には、前記長孔１０ａ…を介して、ストレート部用型枠１０，１０の一端部が掛止される。
【００３０】
次に、図８および図９を参照して、ストレート部用型枠１０…、入隅用型枠１０Ａ…、出隅用型枠１０Ｂ…を、それぞれ立ち上げ型枠１１…に固定する型枠固定具１５…を説明する。
各型枠固定具１５は、ストレート部用型枠１０、入隅用型枠１０Ａまたは出隅用型枠１０Ｂを立ち上げ型枠１１に掛止する第１の掛止部１５ａと、立ち上げ型枠１１に掛止される第２の掛止部１５ｂ，１５ｃとを一体的に連結した大型のクリップである。素材の線材は鋼線で、直径は３．２ｍｍである。以下、図８の図面上の方向を利用して説明する。第１の掛止部１５ａは、平面視してコの字形で、その平行なコの字の平行部分の間隔は、長孔１０ａより若干短い。この第１の掛止部１５ａの両端は上方に向かって若干屈曲した後、それぞれ外方に向かって屈曲している。これらの屈曲部が、前記第２の掛止部１５ｂ，１５ｃとなる。そのうち、一方（図８左側）の第２の掛止部１５ｂは、下方前方に向かって略Ｖ字形に傾斜している。この部分が、立ち上げ型枠１１の下側の断面Ｌ字形に屈曲したフランジ１１ａに掛止される。これに対して、他方（図８右側）の第２の掛止部１５ｃは、同様に下方前方に向かって略Ｖ字形状に折れ曲がった後、さらに上方後方に向かって略逆Ｖ字形状に折れ曲がっている。この第２の掛止部１５ｃのうち、略Ｖ字形状に折れ曲がった部分が、同様に立ち上げ型枠１１の下側のフランジ１１ａに掛止される。また、この第２の掛止部１５ｃのうち、略逆Ｖ字形状に傾斜した部分が、型枠固定具１５によりストレート部用型枠１０を立ち上げ型枠１１に掛止する際の把手１５ｄとなる。
【００３１】
すなわち、この型枠固定具１５の使用法にあっては、長孔１０ａに第１の掛止部１５ａを挿入する。このとき、第１の掛止部１５ａの挿入方向は、立ち上げ型枠１１側である。その後、一方の第２の掛止部１５ｂを立ち上げ型枠１１の下側のフランジ１１ａに掛止する。次いで、他方の第２の掛止部１５ｃをこのフランジ１１ａに掛止する。このとき、型枠固定具１５が直径３．２ｍｍの鋼線製であるので、第２の掛止部１５ｃには大きなばね力が作用する。しかしながら、把手５ｄを握り、この第２の掛止部１５ｃを上方にねじ曲げることができるので、比較的簡単に第２の掛止部１５ｃをフランジ１１ａに掛止することができる。
【００３２】
ここで、図１０〜図１５を参照して、型枠固定具１５の他の形態を示す。例えば、図１０（ａ），（ｂ）に示す型枠固定具１５Ａは、第２の掛止部１５ｂ，１５ｃが側面視して略四角形に屈曲している。また、図１１（ａ），（ｂ）に示す別の型枠固定具１５Ｂは、第２の掛止部１５ｂ，１５ｃが、第１の掛止部１５ａに向かってくの字に屈曲している。さらに、図１２（ａ），（ｂ）に示す型枠固定具１５Ｃは、第２の掛止部１５ｂ，１５ｃが、先端に向かって徐々に第１の掛止部１５ａ側に傾斜している。その他、図１３（ａ），（ｂ）に示す型枠固定具１５Ｄは、連結部１５ｅを介して、２つの第１の掛止部１５ａ，１５ａが一体的に連続し、かつ第２の掛止部１５ｂ，１５ｃが側面視して略四角形に屈曲している。図１４（ａ），（ｂ）に示す型枠固定具１５Ｅは、連結部１５ｅを介して、２つの第１の掛止部１５ａ，１５ａが一体的に連続し、かつ第２の掛止部１５ｂ，１５ｃが、側面視して第１の掛止部１５ａに向かってくの字に屈曲している。図１５（ａ），（ｂ）に示す型枠固定具１５Ｆは、連結部１５ｅを介して、２つの第１の掛止部１５ａ，１５ａが一体的に連続し、かつ第２の掛止部１５ｂ，１５ｃが、先端に向かって徐々に第１の掛止部１５ａ側に傾斜している。
【００３３】
次に、図１６を参照して、基礎打設用のコンクリートに混入されるコンクリート補強用鋼繊維３０…を詳細に説明する。
図１６に示す各コンクリート補強用鋼繊維３０は、長さＬ３０ｍｍ、幅ｗ０．７５ｍｍ、厚さｔ０．４０ｍｍ、正面視した波形のピッチＰ１は８．５ｍｍ、その波形の丈Ｈ１は１．２５ｍｍ（図１６（ａ））、平面視した波形のピッチＰ２は１４．０ｍｍ、その波形の丈Ｈ２は２．０ｍｍ（図１６（ｂ））の軟鉄製からなる細長い板片である。
コンクリートへの混入割合は２０ｋｇ／ｍ３である。なお、この鋼繊維３０の製造は、冷間引き抜き法による。
【００３４】
このように、コンクリート補強用鋼繊維３０が、直交する２つの仮想面（正面および平面）内で波形状に屈曲しているので、コンクリート中に、仮にコンクリート補強用鋼繊維３０が十分に分散されていなくても、例えば１つの仮想面だけで屈曲する波形状のコンクリート補強用鋼繊維に比べて、それぞれのコンクリート補強用鋼繊維３０の波形の突出部分が障害となり、隣接するコンクリート補強用鋼繊維３０が重なりにくくなる。その結果、隣接するコンクリート補強用鋼繊維３０とコンクリート補強用鋼繊維３０とのあいだに隙間が確保されやすくなる。よって、コンクリート中でのファイバーボールの発生を抑えることができる。  したがって、このような構造のコンクリート補強用鋼繊維３０が分散された基礎は、その強度が基礎全体で略均一化する。よって、例えば基礎の表層のように、埋め込まれた鉄筋によるひび割れ分散効果の影響が小さい領域でも、ひび割れの進行を抑えることができる（図１８）。
【００３５】
次に、図１および図１７を参照して、この一実施例に係る基礎施工方法を説明する。
まず、地盤上に捨てコンクリート１２を打設する（図１７（ａ））。地盤には、あらかじめ割ぐりを敷設した割ぐり地業、砂を敷設した砂地業、砂利を敷設した砂利地業、杭打ちを行った杭打ち地業などを施しておいてもよい。
次いで、図１７（ｂ）に示すように、捨てコンクリート１２の表面に、複数台の型枠固定金具２０…を離間状態で、基礎が施工される仮想直線上に配置する。その後、各型枠連結部材２２の中間部上に、逆Ｔ字形の鉄筋１３を載置する。  それから、各型枠固定金具２０…を介して、２枚のストレート部用型枠１０…と、入隅部分の入隅用型枠１０Ａ…と、出隅部分の出隅用型枠１０Ｂ…と、対配置される立ち上げ型枠１１…とを、略隙間がない連結状態で組み立てる。
【００３６】
すなわち、ストレート部用型枠１０…の各一端部を、型枠長さ方向に１つ置きの長孔１０ａ…を介して、支持片２５…のうちの外側の支持片２５…にそれぞれ掛止する。また、入隅用型枠１０Ａ…は、あらかじめ各入隅用部分型枠４０Ａ，４０Ｂを、掛止スリット４０ａ…と掛止突起４０ｂ…との掛止部を中心にして略９０度開いて組み立てておく（図２）。その後、ストレート部用型枠１０…と同様に、外側の支持片２５…にそれぞれ掛止する。さらに、出隅用型枠１０Ｂ…は、あらかじめ各出隅用部分型枠５０Ａ，５０Ｂを、掛止突起５０ａ…と掛止スリット６０ｂ…との掛止部を中心にして略９０度開いて組み立てておく（図４）。その後、ストレート部用型枠１０…と同様に、外側の支持片２５…にそれぞれ掛止する。
そして、支持片２５…が遊挿されていない長孔１０ａ…には型枠固定具１５…をそれぞれ挿入し、これらの型枠固定具１５…を介して、ストレート部用型枠１０…、入隅用型枠１０Ａ…および出隅用型枠１０Ｂ…の各一部分を、立ち上げ型枠１１…の下端部に掛止する。これらのクリップ１５…は繰り返し使用することができる。
【００３７】
ストレート部用型枠１０…、入隅用型枠１０Ａ…および出隅用型枠１０Ｂ…の他端部は、捨てコンクリート１２の表面にそれぞれ釘止めする。使用される釘６０…は焼き入れされ、頭部６０ａ…の外径が胴部６０ｂ…の外径の３倍を超えるものを使用する。具体的には、頭部６０ａ…の外径が８．５〜１１．５ｍｍ、胴部６０ｂ…の長さが３８〜５０ｍｍの釘である。これにより、ストレート部用型枠１０…などの裾部を捨てコンクリート１２にそれぞれしっかりと固定することができる（図１の部分拡大図）。捨てコンクリート１２に代えて、填圧された地面に固定する場合には、頭部の外径が８．５〜１１．５ｍｍ、胴部の長さが７５〜１５０ｍｍの焼き入れしていない釘を使用する。
【００３８】
また、この一実施例では、釘６０を捨てコンクリート１２に打ちつける際に、平面視して矩形状の型枠固定用補強部材７０…を当て板にして釘打ちしている。これは、コンクリートが捨てコンクリート１２とストレート部用型枠１０…、入隅用型枠１０Ａ…および出隅用型枠１０Ｂ…の裾部から外部に漏れないようにするためである。この型枠固定用補強部材７０…は、ストレート部用型枠１０…と同じ防水性を有するラミネート紙製で、前記各裾部を被打設面に押し付ける短冊状の押圧片７１…と、押圧片７１…に一体形成され、対応する裾部に連続したストレート部用型枠１０…などの各立ち上げ部を外方から支持する当てがい片７１…とから構成されている。このため、安価で嵩張らず、使用も簡単である。
立ち上げ型枠１１…は、各型枠連結部材２２…の両端部でそれぞれ対向配置された支持片２５…間にそれぞれ横架される。これにより、対応するストレート部用型枠１０…などの内部空間（フーチング部打設空隙）と、立ち上げ型枠１１…の内部空間（立ち上げ部打設空隙）とが連通される。
【００３９】
次に、図１７（ｃ）に示すように、各立ち上げ型枠１１…間の上端開口部から、フーチング部打設空隙および立ち上げ部打設空隙にコンクリートを流し込む。その際、棒状のバイブレータ１４を挿入し、コンクリートを流動化させ、コンクリート中の空隙や不要の水分を排除し、型枠内でコンクリートを密実に締め固める。これにより基礎の耐久性が高まる。その際、前述したようにストレート部用型枠１０…、入隅用型枠１０Ａ…および出隅用型枠１０Ｂ…と立ち上げ型枠１１…との連結部分には、隙間がほとんど存在しない。そのため、この型枠の連結部分からコンクリートが漏れるおそれはほとんどない。
コンクリートの流し込み時、フーチング部打設空隙の内部空気の一部分およびコンクリートに含まれている空気は、充填確認孔１０ｂ…を通して型枠の外に円滑に排出される。これにより、ストレート部用型枠１０…などの外方に膨出した両端部上に空気が溜まり、打設されたフーチング部の強度低下を招くおそれが低減される。
【００４０】
特に、この一実施例のように、ストレート部用型枠１０…などが湾曲自在なシート材で作製されている場合には、シート材の柔軟性の度合いによっては、ストレート部用型枠１０…などの全体またはその一部分に大小の凹凸が現出し、前記空気の溜まり部分が多発するおそれがある。しかしながら、これらのストレート部用型枠１０…などは、型枠組立時になだらかに湾曲する法面を有し、打設中でも打設前の形状を保持可能な硬度を有しているので、凹凸が現出するおそれがない。しかも、コンクリート中の空気は、近傍の充填確認孔１０ｂ…から型枠の外に抜き出すことができる。
その後、作業者が充填確認孔１０ｂ…からのコンクリートの漏れを視認することで、フーチング部打設空隙のうちの、この充填確認孔１０ｂ…が形成された部分まではコンクリートが充填されていることを、容易に知ることができる。
コンクリートの流し込み後、所定の時間だけ放置し、コンクリートを養生、固化する。次に、立ち上げ型枠１１…を脱型することで、捨てコンクリート１２上に、フーチング部および立ち上げ部からなる基礎が打設される。このとき、シート状の捨て型枠であるストレート部用型枠１０…、入隅用型枠１０Ａ…、出隅用型枠１０Ｂ…および止め用型枠１０Ｃ…は、フーチング部の表面から剥ぎ取らずに放置されることにより、続くコンクリートの養生にも利用される。
【００４１】
このように、ストレート部用型枠１０…などが湾曲自在なシート材であるので、型枠の軽量化およびコンパクト化が図れ、型枠費を廉価にすることができる。
また、ストレート部用型枠１０…などと立ち上げ型枠１１…とが、型枠固定金具２０…を介して略隙間なく連結されているので、フーチング部と立ち上げ部とを１回のコンクリートの打設で作製することができる。その結果、基礎施工の工期が短縮し、施工コストの低下が図れ、コールドジョイントも解消することができる。
さらに、ストレート部用型枠１０…、入隅用型枠１０Ａ…、出隅用型枠１０Ｂ…および止め用型枠１０Ｃ…などを遮水性を有するラミネート紙により作製したので、充填確認孔１０ｂ…以外のフーチング型枠の全体からのコンクリートの漏れを防止することができる。しかも、充填確認孔１０ｂ…の周辺では充填確認孔１０ｂ…以外の部分からのコンクリート漏れがないので、充填確認孔１０ｂ…を利用したコンクリートの充填確認作業の誤認を防ぐことができる。
【００４２】
そして、ストレート部用型枠１０…、入隅用型枠１０Ａ…、出隅用型枠１０Ｂ…および止め用型枠１０Ｃ…が、型枠組立時になだらかに湾曲する法面を有しているので、打設されたコンクリートに作業者の足や資材などが接触しても、フーチング部に角がない分だけ作業者が怪我をしたり、資材などに傷が付いたりしにくい。また、打設中でも打設前の形状を保持可能な硬度を有しているので、打設後、あらかじめ設定された住宅金融公庫仕様のフーチング部の形状を確保することができる。
また、入隅用型枠１０Ａ…、出隅用型枠１０Ｂ…および止め用型枠１０Ｃ…を折り畳み自在に設けたので、断面形状が一定なストレート部用型枠１０…に比較して形状が複雑な入隅用型枠１０Ａ…、出隅用型枠１０Ｂ…および止め用型枠１０Ｃ…であっても、保管スペースが小さく、組み立ても簡単に行うことができる。
各充填確認孔１０ｂ…が、ストレート部用型枠１０…などに一定ピッチで形成されているので、定規を使用しなくても、ストレート部用型枠１０…などの大まかな長さを認識することができる。
また、クリップ形状の型枠固定具１５…によりストレート部用型枠１０…などを所定の立ち上げ型枠１１…に固定するので、安価で、簡単な掛止作業によってストレート部用型枠１０…などを立ち上げ型枠１１…に連結することができる。
【００４３】
【発明の効果】
この発明によれば、型枠として充填確認孔を有するシート材の捨て型枠を採用したので、コンクリートの流し込み時、捨て型枠の内部空気やコンクリートに含まれた空気は、充填確認孔から型枠の外にスムーズに排出される。そのため、例えば型枠の外方に膨出した部分が存在しても、この部分に、コンクリートの強度低下を招く空気の溜まり部分が発生するおそれを低減することができる。
また、捨て型枠がシート材であるため、型枠の軽量化およびコンパクト化が図れ、しかも型枠代を廉価にすることができる。
さらに、シート材に充填確認孔を形成したので、充填確認孔からコンクリートが漏れた状態を確認するだけで、コンクリートの充填が終了した範囲を容易に知ることができる。  さらにまた、シート材が、型枠組立時になだらかに湾曲する法面を有しているので、打設されたコンクリートに作業者や資材などが接触しても、怪我をしたり、資材などが傷付きにくい。また、打設中でも打設前の形状を保持可能な硬度を有しているので、打設後、あらかじめ設定されたコンクリート形状を確保することができる。また、打設後はこの捨て型枠をコンクリートの養生に利用することができる。そして、シート材が紙製の場合には、地中でシート材を自然に朽ちらせることができる。
【００４４】
特に、入隅用型枠、出隅用型枠および止め用型枠を折り畳み自在にしたので、形状が複雑な入隅用型枠、出隅用型枠および止め用型枠であっても、保管スペースが小さく、組み立ても簡単に行うことができる。
【００４５】
また、請求項２に記載の発明によれば、シート材に充填確認孔が一定ピッチで形成されているので、定規がなくても、捨て型枠の大まかな長さを認識することができる。
【００４６】
請求項３に記載の型枠固定具によれば、クリップ形状の型枠固定具を使用して、捨て型枠のフーチング型枠を立ち上げ型枠に固定するので、安価で、簡単な掛止作業により捨て型枠を立ち上げ型枠に連結することができる。
【００４７】
この発明の型枠固定用釘によれば、頭部の外径が、胴部の外径の３倍を超えているので、釘の頭部の面積が大きく、捨て型枠の裾部を被打設面にしっかりと固定することができる。
【００４８】
請求項４に記載の型枠固定用補強部材にあっては、捨て型枠の裾部を被打設面に押し付ける押圧片と、捨て型枠の立ち上げ部を外方から保持する当てがい片とを有しているので、安価で、嵩張らず、捨て型枠の裾部と被打設面との隙間からコンクリートが漏れるのを防ぐことができる。
【図面の簡単な説明】
【図１】  この発明の一実施例に係る捨て型枠を利用した基礎のストレート部分の施工状態を示す斜視図である。
【図２】  この発明の一実施例に係る捨て型枠を利用した基礎の入隅部分の施工状態を示す斜視図である。
【図３】  この発明の一実施例に係る入隅用捨て型枠の分解状態を示す平面図である。
【図４】  この発明の一実施例に係る捨て型枠を利用した基礎の出隅部分の施工状態を示す斜視図である。
【図５】  この発明の一実施例に係る出隅用捨て型枠の分解状態を示す平面図である。
【図６】  この発明の一実施例に係る止め用型枠を利用した基礎の止め部分の施行状態を示す斜視図である。
【図７】  この発明の一実施例に係る止め用型枠の分岐状態を示す平面図である。
【図８】  この発明の一実施例に係る型枠固定具を示す斜視図である。
【図９】  この発明の一実施例に係る型枠固定具の使用状態を示す斜視図である。
【図１０】  （ａ）は、この発明の別の形態の型枠固定具を示す正面図である。
（ｂ）は、この発明の別の形態の型枠固定具を示す側面図である。
【図１１】  （ａ）は、この発明のまた別の形態の型枠固定具を示す正面図である。
（ｂ）は、この発明のまた別の形態の型枠固定具を示す側面図である。
【図１２】  （ａ）は、この発明のさらに別の形態の型枠固定具を示す正面図である。
（ｂ）は、この発明のさらに別の形態の型枠固定具を示す側面図である。
【図１３】  （ａ）は、この発明のさらにまた別の形態の型枠固定具を示す正面図である。
（ｂ）は、この発明のさらにまた別の形態の型枠固定具を示す側面図である。
【図１４】  （ａ）は、この発明の他の形態の型枠固定具を示す正面図である。
（ｂ）は、この発明の他の形態の型枠固定具を示す側面図である。
【図１５】  （ａ）は、この発明のさらに他の形態の型枠固定具を示す正面図である。
（ｂ）は、この発明のさらに他の形態の型枠固定具を示す側面図である。
【図１６】  （ａ）は、この発明の一実施例に係る基礎施工方法に利用されるコンクリート補強用金属繊維の拡大正面図である。
（ｂ）は、この発明の一実施例に係る基礎施工方法に利用されるコンクリート補強用金属繊維の拡大平面図である。
【図１７】  （ａ）は、この発明の一実施例に係る基礎施工方法の捨てコンクリート打設後の状態を示す縦断面図である。
（ｂ）は、この発明の一実施例に係る基礎施工方法の型枠組み立て工程を示す縦断面図である。
（ｃ）は、この発明の一実施例に係る基礎施工方法のコンクリート流し込み工程を示す縦断面図である。
【図１８】  この発明の一実施例に係る基礎施工方法によって施工された基礎の要部拡大断面図である。
【符号の説明】
１０  ストレート部用型枠（フーチング型枠／捨て型枠）、
１０Ａ  入隅用型枠、
１０Ｂ  出隅用型枠、
１０Ｃ  止め用型枠、
１０ｂ  充填確認孔、
１１  立ち上げ型枠、
１２  捨てコンクリート（被打設面）、
１５  型枠固定具、
１５ａ  第１の掛止部、
１５ｂ、１５ｃ  第２の掛止部、
４０Ａ、４０Ｂ  入隅用部分型枠、
５０Ａ、５０Ｂ  出隅用部分型枠、
６０  型枠固定用釘、
６０ａ  頭部、
６０ｂ  胴部、
７０  型枠固定用補強部材、
７１  押圧片、
７２  立ち上げ部、
８０Ａ、８０Ｂ  止め用部分型枠。
【図１】
0003896036.tif 000002
【図２】
0003896036.tif 000003
【図３】
0003896036.tif 000004
【図４】
0003896036.tif 000005
【図５】
0003896036.tif 000006
【図６】
0003896036.tif 000007
【図７】
0003896036.tif 000008
【図８】
0003896036.tif 000009
【図９】
0003896036.tif 000010
【図１０】
0003896036.tif 000011
【図１１】
0003896036.tif 000012
【図１２】
0003896036.tif 000013
【図１３】
0003896036.tif 000014
【図１４】
0003896036.tif 000015
【図１５】
0003896036.tif 000016
【図１６】
0003896036.tif 000017
【図１７】
0003896036.tif 000018
【図１８】
0003896036.tif 000019